【手続補正書】
【提出日】平成19年10月11日(2007.10.11)
【手続補正１】
【補正対象書類名】特許請求の範囲
【補正対象項目名】全文
【補正方法】変更
【補正の内容】
【特許請求の範囲】
【請求項１】
ワイヤレスローカルエリアネットワーク（ＷＬＡＮ）と、汎用パケット無線システムおよび／またはユニバーサル移動体通信システム（ＧＰＲＳ／ＵＴＭＳ）ネットワークとをサポートすることができるワイヤレス送受信装置（ＷＴＲＵ）の機能を報告する方法であって、
前記ＷＴＲＵにおいて、
サポートできるＷＬＡＮサービスをそのコアネットワークに通知するステップを含み、  前記ＧＰＲＳ／ＵＭＴＳネットワークにおいて、
サポートできると認識した前記ＷＴＲＵにそれらの前記サービスを提供するステップを含む
ことを特徴とする方法。
【請求項２】
前記ＷＴＲＵが、前記ＷＬＡＮのインターワーキング（相互接続）およびそのＷＬＡＮがサポートすることができるＷＬＡＮ機能を示す無線アクセス（ＲＡ）機能情報要素（ＩＥ）を送信することを特徴とする請求項１に記載の方法。
【請求項３】
前記コアネットワークは前記インターワーキングおよびＷＬＡＮ機能を情報要素（ＩＥ）の一部として前記ＷＴＲＵに送信することを特徴とする請求項１に記載の方法。
【請求項４】
前記コアネットワークはネットワーク機能（ＮＷ）ＩＥを送信することを特徴とする請求項３に記載の方法。
【請求項５】
ワイヤレスローカルエリアネットワーク（ＷＬＡＮ）と、汎用パケット無線システムおよび／またはユニバーサル移動体通信システム（ＧＰＲＳ／ＵＴＭＳ）ネットワークとをサポートすることができるワイヤレス送受信装置（ＷＴＲＵ）の機能を報告する装置であって、
前記ＷＴＲＵは、
サポートできるＷＬＡＮサービスをそのコアネットワークに通知するメッセージを提供する手段を含み、
前記コアネットワークは、
前記ＷＴＲＵが前記メッセージに対応してサポートできると認識した前記サービスを前記ＷＴＲＵに提供する手段を含む
ことを特徴とする装置。
【請求項６】
メッセージを提供する前記手段は、
複数のサービスをサポートする前記機能を送信する手段
を含むことを特徴とする請求項５に記載の装置。
【請求項７】
前記送信する手段は、無線アクセス機能（ＲＡＣ）ＩＥを送信することを特徴とする請求項６に記載の装置。
【請求項８】
メッセージを提供する前記手段は、
複数のサービスをサポートする前記機能を情報要素（ＩＥ）の一部として送信する手段  を含むことを特徴とする請求項５に記載の装置。
【請求項９】
前記コアネットワークは、
インターワーキングおよびＷＬＡＮ機能を前記ＷＴＲＵに送信する手段
を含むことを特徴とする請求項５に記載の装置。
【請求項１０】
前記コアネットワークは、
インターワーキングおよびＷＬＡＮ機能を情報要素（ＩＥ）の一部として前記ＷＴＲＵに送信する手段
を含むことを特徴とする請求項５に記載の装置。
【請求項１１】
送信するための前記コアネットワーク手段は、ネットワーク機能（ＮＷ）ＩＥを送信する手段を含むことを特徴とする請求項５に記載の装置。
【請求項１２】
デュアルモードワイヤレス送受信装置（ＷＴＲＵ）の機能をワイヤレス通信ネットワークに報告する方法であって、
前記ＷＴＲＵが前記ネットワークに、該ＷＴＲＵがサポートできるサービスを通知するステップと、
前記ネットワークが前記ＷＴＲＵに申し込まれたサービスを提供するステップと、
前記ＷＴＲＵがサービスを受信するために前記デュアルモードのうちの１つを選択するステップと
を含むことを特徴とする方法。
【請求項１３】
前記デュアルモードＷＴＲＵは、ワイヤレスローカルエリアネットワーク（ＷＬＡＮ）と、汎用パケット無線システムおよび／またはユニバーサル移動体通信システム（ＧＰＲＳ／ＵＴＭＳ）ネットワークと通信する機能を有し、情報要素（ＩＥ）の所与のビットでこれらの与えられた機能を示すことを特徴とする請求項１２に記載の方法。
【請求項１４】
前記ＷＴＲＵは、バイナリ状態を前記所与のビットにセットして前記サービスをサポートする前記機能を示すことを特徴とする請求項１３に記載の方法。
【請求項１５】
前記ネットワークは、バイナリ状態を前記ＩＥの所与のビットに挿入して、ＷＬＡＮを介するＳＭＳ機能、およびＧＰＲＳチャネルを介するＳＭＳ機能を含めて、サポートサービスの機能を確認することを特徴とする請求項１４に記載の方法。
【請求項１６】
前記ＷＴＲＵは、バイナリ状態を前記ＩＥの所与のビットに挿入して、ＷＬＡＮを介するＳＭＳ機能、およびＧＰＲＳチャネルを介するＳＭＳ機能を含めて、サポートサービスの機能を確認することを特徴とする請求項１４に記載の方法。
【請求項１７】
前記ＷＴＲＵは、情報要素（ＩＥ）を送信することによって機能を前記ネットワークに通知することを特徴とする請求項１３に記載の方法。
【請求項１８】
前記ＷＴＲＵは、
第１のモードで動作するときはＧＰＲＳネットワークと通信し、第２のモードで動作するときはＷＬＡＮと通信するステップ
をさらに含むことを特徴とする請求項１２に記載の方法。
【請求項１９】
前記ＷＴＲＵは、
第１のモードで動作するときはＵＭＴＳネットワークと通信し、第２のモードで動作するときはＷＬＡＮと通信するステップ
をさらに含むことを特徴とする請求項１２に記載の方法。
【請求項２０】
前記ＷＴＲＵは、複数のＷＬＡＮ通信プロトコルのうちの１つをサポートするために、前記ＷＴＲＵに取り外し可能に挿入された通信カードを選択的に受信すると、
前記挿入された通信カードを識別するメッセージネットワークを提供する
ことを特徴とする請求項１２に記載の方法。
【請求項２１】
前記通信プロトコルはＷＬＡＮ８０２プロトコルを含み、前記メッセージは前記ＷＴＲＵによってサポートされている前記プロトコルを識別することを特徴とする請求項２０に記載の方法。
【請求項２２】
前記通信プロトコルはＷＬＡＮ８０２．１１ａおよびＷＬＡＮ８０２．１１ｂを含むことを特徴とする請求項２０に記載の方法。
【請求項２３】
前記通信プロトコルはＷＬＡＮ８０２．１１ｂおよびＷＬＡＮ８０２．１６を含むことを特徴とする請求項２０に記載の方法。
【請求項２４】
前記ＷＴＲＵが
所与のＷＬＡＮ通信プロトコルをそれぞれ識別するビット位置を有するメッセージを送信するステップと、
前記ＷＴＲＵによってサポートされているプロトコルを示すビットに所与のバイナリ状態を挿入するステップと
を含むことを特徴とする請求項１２に記載の方法。
【請求項２５】
ワイヤレスローカルエリアネットワーク（ＷＬＡＮ）と、汎用パケット無線システムおよび／またはユニバーサル移動体通信システム（ＧＰＲＳ／ＵＴＭＳ）ネットワークのサービスをサポートすることができるワイヤレス送受信装置（ＷＴＲＵ）の機能を報告する方法であって、
前記ＷＴＲＵが
ＷＬＡＮおよびＧＰＲＳ／ＵＭＴＳサービスをサポートするその機能をコアネットワークに通知するステップを含み、
前記コアネットワークが
前記ＷＬＡＮインターワーキング機能および前記ＷＬＡＮ機能を示す無線アクセス機能情報要素を送信して、ＷＬＡＮインターワーキングがサポートされているかどうかを示すステップを含む
ことを特徴とする方法。
【請求項２６】
前記ＷＴＲＵが
複数のサービスをサポートする機能を情報要素（ＩＥ）の一部として送信するステップ  を含むことを特徴とする請求項１または２５のいずれかに記載の方法。
【請求項２７】
前記ＷＴＲＵが
無線アクセス機能（ＲＡＣ）ＩＥを送信するステップ
を含むことを特徴とする請求項２６に記載の方法。
【請求項２８】
前記コアネットワークが
インターワーキングおよびＷＬＡＮ機能を情報要素（ＩＥ）の一部として送信するステップ
を含むことを特徴とする請求項２５に記載の方法。